(57)【要約】【構成】  ディジタルカメラ１０はＷｉＦｉ接続の確立によってスマートフォン６０との間の連携が可能となり、ディジタルカメラ１０のセルフタイマがオン状態となると、ディジタルカメラ１０から送信されたセルフタイマ撮影の実行情報がスマートフォン６０に送信される。スマートフォン６０ではセルフタイマ撮影の実行状況に応じた報知信号が発生する。【効果】  ディジタルカメラ１０による撮影実行のタイミングを分かりやすくすることができ、利便性が向上する。【選択図】図２
2014158158.tif 000002
【特許請求の範囲】
【請求項１】
外部端末と連携して制御が可能な電子カメラであって、
前記電子カメラは、撮影処理を所定時間後に実行するセルフタイマ撮影手段、およびセルフタイマ撮影の実行情報を前記外部端末に送信する送信手段を備えており、
前記外部端末は、前記セルフタイマ撮影の実行情報の検出手段、および前記セルフタイマ撮影の実行状況に応じて報知信号を発生させる報知信号発生手段を備え、
前記外部端末によって撮像のタイミングを報知させることを特徴とする、電子カメラ。
【請求項２】
前記外部端末と非接触通信により通信して前記セルフタイマ撮影の実行情報を前記外部端末に送信する、請求項１記載の電子カメラ。
【請求項３】
前記非接触通信は短距離無線通信を含む、請求項１または２記載の電子カメラ。
【請求項４】
前記報知信号は、音声、振動、映像および光からなる群から選ばれる少なくとも１つを含む、請求項１ないし３のいずれかに記載の電子カメラ。
【請求項５】
外部端末と連携して制御が可能な電子カメラのプロセッサに、
撮影処理を所定時間後に実行するセルフタイマ撮影ステップ、および
セルフタイマ撮影の実行情報を前記外部端末に送信する送信ステップを実行させるための撮影制御プログラム。
【請求項６】
電子カメラの制御が可能な外部端末のプロセッサに、
前記電子カメラが撮影処理を所定時間後に実行するセルフタイマ撮影の実行情報の検出ステップ、および
前記セルフタイマ撮影の実行状況に応じて報知信号を発生させる報知信号発生ステップを実行させるための撮影制御プログラム。
【請求項７】
外部端末と連携して制御が可能な電子カメラによって実行される撮影制御方法であって、
撮影処理を所定時間後に実行するセルフタイマ撮影ステップ、
セルフタイマ撮影の実行情報を前記外部端末に送信する送信ステップ、
前記外部端末による前記セルフタイマ撮影の実行情報の検出ステップ、および
前記セルフタイマ撮影の実行状況に応じて前記外部端末に報知信号を発生させる報知信号発生ステップを備える、撮影制御方法。
【請求項８】
メモリに保存された内部制御プログラムに従う処理を実行するプロセッサを備える、外部端末と連携して制御が可能な電子カメラに供給される外部制御プログラムであって、
撮影処理を所定時間後に実行するセルフタイマ撮影ステップ、および
セルフタイマ撮影の実行情報を前記外部端末に送信する送信ステップを前記内部制御プログラムと協働して前記プロセッサに実行させるための、外部制御プログラム。
【請求項９】
メモリに保存された内部制御プログラムに従う処理を実行するプロセッサを備える、電子カメラの制御が可能な外部端末に供給される外部制御プログラムであって、
前記電子カメラが撮影処理を所定時間後に実行するセルフタイマ撮影の実行情報の検出ステップ、および
前記セルフタイマ撮影の実行状況に応じて報知信号を発生させる報知信号発生ステップを前記内部制御プログラムと協働して前記プロセッサに実行させるための、外部制御プログラム。
【請求項１０】
外部制御プログラムを取り込む取り込み手段、および
前記取り込み手段によって取り込まれた外部制御プログラムとメモリに保存された内部制御プログラムとに従う処理を実行するプロセッサを備える、外部端末と連携して制御が可能な電子カメラであって、
前記外部制御プログラムは、
撮影処理を所定時間後に実行するセルフタイマ撮影ステップ、および
セルフタイマ撮影の実行情報を前記外部端末に送信する送信ステップを前記内部制御プログラムと協働して実行するプログラムに相当する、電子カメラ。
【請求項１１】
外部制御プログラムを取り込む取り込み手段、および
前記取り込み手段によって取り込まれた外部制御プログラムとメモリに保存された内部制御プログラムとに従う処理を実行するプロセッサを備える、電子カメラの制御が可能な外部端末であって、
前記外部制御プログラムは、
前記電子カメラが撮影処理を所定時間後に実行するセルフタイマ撮影の実行情報の検出ステップ、および
前記セルフタイマ撮影の実行状況に応じて報知信号を発生させる報知信号発生ステップを前記内部制御プログラムと協働して実行するプログラムに相当する、外部端末。
【発明の詳細な説明】
【技術分野】
【０００１】
この発明は、電子カメラに関し、特にセルフタイマ撮影時に撮影タイミングを報知する、電子カメラに関する。
【背景技術】
【０００２】
この種のカメラの一例が、特許文献１に開示されている。この背景技術によれば、撮影範囲と略同一の範囲内で聞き取り可能な報知音を発生させる報知音発生手段と、報知音発生手段を制御する報知音制御手段とを備えることで、撮影実行のタイミングを報知する。
【先行技術文献】
【特許文献】
【０００３】
【特許文献１】特開２００７−２６４４５７号公報
【発明の概要】
【発明が解決しようとする課題】
【０００４】
しかし、背景技術では、例えば、周囲が騒がしい場合などでは、いつ撮影が実行されるかがわかりにくい場合がある。
【０００５】
それゆえに、この発明の主たる目的は、撮影実行のタイミングを分かりやすくすることができる、電子カメラを提供することである。
【課題を解決するための手段】
【０００６】
この発明に従う電子カメラ(10：実施例で相当する参照符号。以下同じ)は、外部端末(60)と連携して制御が可能な電子カメラであって、撮影処理を所定時間後に実行するセルフタイマ撮影手段(S11,S17〜S19)、およびセルフタイマ撮影の実行情報を外部端末(60)に送信する送信手段(S15)を備えており、外部端末は、セルフタイマ撮影の実行情報の検出手段(S31)、およびセルフタイマ撮影の実行状況に応じて報知信号を発生させる報知信号発生手段(S33〜S37)を備え、外部端末(60)によって撮像のタイミングを報知させる。
【０００７】
好ましくは、電子カメラ(10)は外部端末(60)と非接触通信により通信してセルフタイマ撮影の実行情報を外部端末に送信する。
【０００８】
好ましくは、非接触通信は短距離無線通信を含む。
【０００９】
好ましくは、報知信号は、音声、振動、映像および光からなる群から選ばれる少なくとも１つを含む。
【００１０】
この発明に従う撮影制御プログラムは、外部端末(60)と連携して制御が可能な電子カメラ(10)のプロセッサ(22)に、撮影処理を所定時間後に実行するセルフタイマ撮影ステップ(S11,S17〜S19)、およびセルフタイマ撮影の実行情報を外部端末に送信する送信ステップ(S15)を実行させるための撮影制御プログラムである。
【００１１】
この発明に従う他の撮影制御プログラムは、電子カメラ(10)の制御が可能な外部端末(60)のプロセッサ(68)に、電子カメラが撮影処理を所定時間後に実行するセルフタイマ撮影の実行情報の検出ステップ(S31)、およびセルフタイマ撮影の実行状況に応じて報知信号を発生させる報知信号発生ステップ(S33〜S37)を実行させるための撮影制御プログラムである。
【００１２】
この発明に従う撮影制御方法は、外部端末(60)と連携して制御が可能な電子カメラ(10)によって実行される撮影制御方法であって、撮影処理を所定時間後に実行するセルフタイマ撮影ステップ(S11,S17〜S19)、セルフタイマ撮影の実行情報を外部端末に送信する送信ステップ(S15)、外部端末によるセルフタイマ撮影の実行情報の検出ステップ(S31)、および外部端末にセルフタイマ撮影の実行状況に応じて報知信号を発生させる報知信号発生ステップ(S33〜S37)を備える。
【００１３】
この発明に従う外部制御プログラムは、メモリ(42)に保存された内部制御プログラムに従う処理を実行するプロセッサ(22)を備える、外部端末(60)と連携して制御が可能な電子カメラ(10)に供給される外部制御プログラムであって、撮影処理を所定時間後に実行するセルフタイマ撮影ステップ(S11,S17〜S19)、およびセルフタイマ撮影の実行情報を外部端末に送信する送信ステップ(S15)を内部制御プログラムと協働してプロセッサに実行させるための、外部制御プログラムである。
【００１４】
この発明に従う他の外部制御プログラムは、メモリ(86)に保存された内部制御プログラムに従う処理を実行するプロセッサ(68)を備える、電子カメラ(10)の制御が可能な外部端末(60)に供給される外部制御プログラムであって、電子カメラが撮影処理を所定時間後に実行するセルフタイマ撮影の実行情報の検出ステップ(S31)、およびセルフタイマ撮影の実行状況に応じて報知信号を発生させる報知信号発生ステップ(S33〜S37)を内部制御プログラムと協働してプロセッサに実行させるための、外部制御プログラムである。
【００１５】
この発明に従う電子カメラ(10)は、外部制御プログラムを取り込む取り込み手段(38)、および取り込み手段によって取り込まれた外部制御プログラムとメモリ(42)に保存された内部制御プログラムとに従う処理を実行するプロセッサ(22)を備える、外部端末(60)と連携して制御が可能な電子カメラ(10)であって、外部制御プログラムは、撮影処理を所定時間後に実行するセルフタイマ撮影ステップ(S11,S17〜S19)、およびセルフタイマ撮影の実行情報を外部端末に送信する送信ステップ(S15)を内部制御プログラムと協働して実行するプログラムに相当する。
【００１６】
この発明に従う外部端末(60)は、外部制御プログラムを取り込む取り込み手段(84)、および取り込み手段によって取り込まれた外部制御プログラムとメモリ(86)に保存された内部制御プログラムとに従う処理を実行するプロセッサ(68)を備える、電子カメラ(10)の制御が可能な外部端末(60)であって、外部制御プログラムは、電子カメラが撮影処理を所定時間後に実行するセルフタイマ撮影の実行情報の検出ステップ(S31)、およびセルフタイマ撮影の実行状況に応じて報知信号を発生させる報知信号発生ステップ(S33〜S37)を内部制御プログラムと協働して実行するプログラムに相当する。
【発明の効果】
【００１７】
本発明の電子カメラは、外部端末と連携して制御が可能であり、セルフタイマ撮影の実行情報を外部端末に送信し、当該外部端末はセルフタイマ撮影の実行状況に応じて報知信号を発生させる。これによって、電子カメラによる撮影実行のタイミングを分かりやすくすることができ、利便性が向上する。
【００１８】
この発明の上述の目的，その他の目的，特徴および利点は、図面を参照して行う以下の実施例の詳細な説明から一層明らかとなろう。
【図面の簡単な説明】
【００１９】
【図１】この発明の一実施例の基本的構成を示すブロック図である。
【図２】この実施例に適用されるディジタルカメラの構成の一例を示すブロック図である。
【図３】この実施例に適用されるスマートフォンの構成の一例を示すブロック図である。
【図４】ディジタルカメラとスマートフォンとの間での通信動作の一例を示す図解図である。
【図５】図２実施例に適用されるカメラＣＰＵの動作の一部を示すフロー図である。
【図６】図３実施例に適用されるスマートフォンＣＰＵの動作の一部を示すフロー図である。
【図７】図２実施例に適用されるカメラＣＰＵの動作の他の一部を示すフロー図である。
【図８】図３実施例に適用されるスマートフォンＣＰＵの動作の他の一部を示すフロー図である。
【発明を実施するための形態】
【００２０】
以下、この発明の実施の形態を図面を参照しながら説明する。
［基本的構成］
【００２１】
図１を参照して、この実施例の電子カメラは、基本的に次のように構成される。セルフタイマ撮影手段１は、撮影処理を所定時間後に実行する。送信手段２は、セルフタイマ撮影の実行情報を外部端末に送信する。外部端末は、検出手段３および報知信号発生手段４を備えており、電子カメラの撮像のタイミングを報知する。検出手段３は、セルフタイマ撮影の実行情報の検出を行う。報知信号発生手段４は、セルフタイマ撮影の実行状況に応じて報知信号を発生させる。
【００２２】
この電子カメラは、外部端末と連携して制御が可能であり、セルフタイマ撮影の実行情報を外部端末に送信し、当該外部端末はセルフタイマ撮影の実行状況に応じて報知信号を発生させる。これによって、電子カメラによる撮影実行のタイミングを分かりやすくすることができ、利便性が向上する。
［実施例］
【００２３】
この実施例のカメラシステムは、図２に示すように構成されたディジタルカメラ１０と、各々が図３に示すように構成された１または２以上のスマートフォン６０とによって形成される。ディジタルカメラ１０およびスマートフォン６０のいずれも、ＷｉＦｉ規格に従う近距離無線通信機能を有する。ＷｉＦｉ通信は、図２に示すＲＦモジュール３８および図３に示すＲＦモジュール８４によって実行される。
【００２４】
図２を参照して、ディジタルカメラ１０は、ドライバ１８ａ，１８ｂおよび１８ｃによってそれぞれ駆動されるフォーカスレンズ１２，絞り機構１４およびイメージセンサ１６を含む。シーンを表す光学像は、フォーカスレンズ１２および絞り機構１４を経てイメージセンサ１６の撮像面に照射される。
【００２５】
カメラＣＰＵ２２は、マルチタスクＯＳの制御の下で、以下で述べる撮像タスク，およびＷｉＦｉ通信制御タスクを含む複数のタスクを並列的に実行する。なお、これらのタスクに対応する制御プログラムは、フラッシュメモリ４２に記憶される。
【００２６】
電源が投入されると、カメラＣＰＵ２２は、撮像タスクの下で動画取り込み処理を開始するべく露光動作および電荷読み出し動作の繰り返しをドライバ１８ｃに命令する。ドライバ１８ｃは、垂直同期信号Ｖｓｙｎｃが発生する毎に撮像面を露光し、これによって生成された電荷をラスタ走査態様で撮像面から読み出す。この結果、読み出された電荷に基づく生画像データがイメージセンサ１６から繰り返し出力される。信号処理回路２０は、イメージセンサ１６から出力された生画像データに色分離，白バランス調整，ＹＵＶ変換などの処理を施し、これによって作成されたＹＵＶ形式の画像データをメモリ制御回路２４に通してＳＤＲＡＭ２６の動画像エリア２６ａに書き込む。
【００２７】
ＬＣＤドライバ２８は、動画像エリア２６ａに格納された画像データをメモリ制御回路２４を通して繰り返し読み出し、読み出された画像データに基づいてＬＣＤモニタ３０を駆動する。この結果、撮像面で捉えられたシーンを表すリアルタイム動画像（スルー画像）がモニタ画面に表示される。
【００２８】
信号処理回路２０によって作成されたＹデータは、カメラＣＰＵ２２にも与えられる。キー入力装置３６に設けられたシャッタボタン３６ｓｈが非操作状態にあるとき、カメラＣＰＵ２２は、信号処理回路２０から与えられたＹデータに基づいて簡易ＡＥ処理を実行し、適正ＥＶ値を算出する。算出された適正ＥＶ値を定義する絞り量および露光時間はドライバ１８ｂおよび１８ｃに設定され、これによってスルー画像の明るさが大まかに調整される。
【００２９】
シャッタボタン３６ｓｈがユーザによって半押しされると、カメラＣＰＵ２２は、信号処理回路２０から与えられたＹデータに基づいて厳格ＡＥ処理を実行し、最適ＥＶ値を算出する。算出された最適ＥＶ値を定義する絞り量および露光時間もまたドライバ１８ｂおよび１８ｃに設定され、これによってスルー画像の明るさが厳格に調整される。カメラＣＰＵ２２はまた、信号処理回路２０から与えられたＹデータの高周波成分に基づいてＡＦ処理を実行する。フォーカスレンズ１２はＡＦ処理によって発見された合焦点に配置され、これによってスルー画像の鮮鋭度が向上する。
【００３０】
シャッタボタン３６ｓｈが全押しされると、カメラＣＰＵ２２は、ＷｉＦｉ通信のためのＩＤ登録（ユーザ認証）が済んでいる装置にセルフタイマ撮影の実行情報を送信する。また、シャッタボタン３６ｓｈが全押しされると、カメラＣＰＵ２２は、所定時間経過後に自ら静止画取り込み処理を実行するとともに、記録処理の実行をメモリＩ／Ｆ３２に命令する。シャッタボタン３６ｓｈが全押しされた時点から所定時間が経過した後の静止画取込み処理が行われた時点のシーンを表す１フレームの画像データは、静止画取り込み処理によって動画像エリア２６ａから静止画像エリア２６ｂに退避される。記録処理の実行を命令されたメモリＩ／Ｆ３２は、こうして退避された画像データをメモリ制御回路２４を通して読み出し、読み出された画像データをファイル形式で記録媒体３４に記録する。
【００３１】
ＷｉＦｉ通信制御タスクの下で、カメラＣＰＵ２２は、キー入力装置３６に設けられたモードキー３６ｍｄによってＷｉＦｉ通信機能がオン状態であることを条件として、自機ＩＤの送信をＲＦモジュール３８に命令する。ＲＦモジュール３８は、自機ＩＤをアンテナ３８ａｔから繰り返し送信する。
【００３２】
未登録の他機ＩＤがＲＦモジュール３８によって受信されると、カメラＣＰＵ２２は、ＬＣＤモニタ３０を利用してＩＤ登録をユーザに促す。他機ＩＤは、キー入力装置３６に設けられた登録ボタン３６ｒによる登録操作が行われたときに、カメラＣＰＵ２２によってレジスタ４０に登録される。他機ＩＤの送信元とのＷｉＦｉ接続は、登録が完了した後に確立される。なお、登録済みの他機ＩＤが受信されたときは、速やかにＷｉＦｉ接続が確立される。
【００３３】
モードキー３６ｍｄの操作によってＷｉＦｉ通信機能がオン状態からオフ状態に切り換えられると、カメラＣＰＵ２２は、ＷｉＦｉ接続を解除する。上述の処理は、ＷｉＦｉ通信機能がオフ状態からオン状態に切り換えられたときに再度実行される。
【００３４】
図３を参照して、スマートフォン６０は、移動体通信用のアンテナ６２ａｔおよびＲＦモジュール６２を含む。セルフタイマ撮影の実行情報が音声データであれば、前記音声データはマイクロフォン６６によって取り込むことができる。
【００３５】
モニタ画面に対するタッチ操作は、タッチセンサ７８によって検知される。検知結果はスマートフォンＣＰＵ６８に与えられ、タッチ操作の態様に応じて異なる処理がスマートフォンＣＰＵ６８の制御の下で実行される。
【００３６】
スマートフォンＣＰＵ６８もまた、マルチタスクＯＳの制御の下で、ＷｉＦｉ通信制御タスクおよびセルフタイマタスクを含む複数のタスクを並列的に実行する。また、これらのタスクに対応する制御プログラムは、フラッシュメモリ８６に記憶される。
【００３７】
ＷｉＦｉ通信制御タスクの下で、スマートフォンＣＰＵ６８は、ＷｉＦｉ通信機能がオン状態であることを条件として、自機ＩＤの送信をＲＦモジュール８４に命令する。ＲＦモジュール８４は、自機ＩＤをアンテナ８４ａｔから送信する。
【００３８】
未登録の他機ＩＤがＲＦモジュール８４によって受信されると、スマートフォンＣＰＵ６８は、ＬＣＤモニタ７６を利用してＩＤ登録をユーザに促す。他機ＩＤは、モニタ画面のタッチによる登録操作が行われたときにスマートフォンＣＰＵ６８によってレジスタ８８に登録される。他機ＩＤの送信元とのＷｉＦｉ接続は、登録が完了した後に確立される。なお、登録済みの他機ＩＤが受信されたときは、速やかにＷｉＦｉ接続が確立される。
【００３９】
モニタ画面に対するタッチ操作によってＷｉＦｉ通信機能がオン状態からオフ状態に切り換えられると、スマートフォンＣＰＵ６８は、ＷｉＦｉ接続を解除する。上述の処理は、タッチ操作によってＷｉＦｉ通信機能がオフ状態からオン状態に切り換えられたときに再度実行される。
【００４０】
ディジタルカメラ１０とスマートフォン６０との間のＷｉＦｉ接続が確立し、ディジタルカメラ１０のセルフタイマがオン状態となり、ディジタルカメラ１０から送信されたセルフタイマ撮影の実行情報がスマートフォン６０に送信されて、スマートフォン６０で報知信号が発生するまでの動作を図４に示す。
【００４１】
ディジタルカメラ１０への自動接続がスマートフォン６０に設定されている状態で、スマートフォン６０のＷｉＦｉ機能がオンされると、スマートフォン６０に割り当てられたＩＤがＷｉＦｉ通信によってディジタルカメラ１０に送信される。このＩＤが登録済みＩＤであれば、ディジタルカメラ１０とスマートフォン６０との間でＷｉＦｉ接続が確立される。
【００４２】
ＷｉＦｉ接続の確立後にディジタルカメラ１０側でセルフタイマ撮影が実行されると、セルフタイマ撮影の実行情報がディジタルカメラ１０からスマートフォン６０に送信される。スマートフォン６０は、一定サイクルで報知信号を発生し、セルフタイマにおいて設定された所定時間の経過時に撮影実行の報知信号を発生させる。
【００４３】
報知信号は、好ましくは、音声、振動、映像および光からなる群から選ばれる少なくとも１つを含む。報知信号が音声の場合、前記信号はスピーカ６４から出力される。報知信号が映像または光である場合は、前記信号のデータはＬＣＤドライバ７４で読み出され、読み出された映像データに基づいてＬＣＤモニタ７６を駆動することで、モニタ画面に表示される。
【００４４】
ディジタルカメラ１０において実行される撮像タスクは、図５に示すように構成される。ステップＳ１では動画取り込み処理を実行する。この結果、撮像面で捉えられたシーンを表すスルー画像がＬＣＤモニタ３０に表示される。ステップＳ３ではシャッタボタン３６ｓｈが半押しされたか否かを判別する。
【００４５】
ステップＳ３の判別結果がＮＯであれば、ステップＳ５で簡易ＡＥ処理を繰り返し実行する。この結果、スルー画像の明るさが大まかに調整される。ステップＳ３の判別結果がＮＯからＹＥＳに更新されると、ステップＳ７で厳格ＡＥ処理を実行し、ステップＳ９でＡＦ処理を実行する。厳格ＡＥ処理の結果、スルー画像の明るさが厳格に調整される。また、ＡＦ処理の結果、スルー画像の鮮鋭度が向上する。
【００４６】
ステップＳ１１ではシャッタボタン３６ｓｈが全押しされたか否かを判別し、ステップＳ１３ではシャッタボタン３６ｓｈの操作が解除されたか否かを判別する。ステップＳ１３の判別結果がＹＥＳであればそのままステップＳ３に戻り、ステップＳ１１の判別結果がＹＥＳであればステップＳ１５〜Ｓ２１の処理を経てステップＳ３に戻る。
【００４７】
シャッタボタン３６ｓｈが全押しされたと判別されると、ステップＳ１５ではセルフタイマ撮影の実行情報を送信し、ステップＳ１７ではセルフタイマにおいて設定された所定時間が経過したか否かを繰り返し判別する。判別結果がＮＯからＹＥＳに更新されると、ステップＳ１９で、静止画取り込み処理を実行する。
【００４８】
この結果、シャッタボタン３６ｓｈが全押しされた時点から所定時間が経過した後の静止画取込み処理が行われた時点のシーンを表す１フレームの画像データが動画像エリア２６ａから静止画像エリア２６ｂに退避される。ステップＳ２１では、記録処理の実行をメモリＩ／Ｆ３２に命令する。メモリＩ／Ｆ３２は、静止画像エリア２６ｂに格納された１フレームの画像データをメモリ制御回路２４を通して読み出し、読み出された画像データをファイル形式で記録媒体３４に記録する。
【００４９】
スマートフォン６０において実行されるセルフタイマタスクは、図６に示すように構成される。ステップＳ３１ではセルフタイマ撮影の実行情報を受信したか否かを判別する。
【００５０】
ステップＳ３１でセルフタイマ撮影の実行情報を受信したと判別（ＹＥＳ）されると、ステップＳ３３で一定サイクルで報知信号を発生させ、ステップＳ３５でセルフタイマにおいて設定された所定時間が経過したか否かを繰り返し判別する。ステップＳ３５の判別結果がＮＯであれば、ステップＳ３３に戻り、繰り返して一定サイクルでの報知信号を発生させる。
【００５１】
ステップＳ３５の判別結果がＮＯからＹＥＳに更新されると、ステップＳ３７で、撮影実行の報知信号を発生させ、ステップＳ３１に戻る。
【００５２】
ディジタルカメラ１０において実行されるＷｉＦｉ通信制御タスクは、図７に示すように構成される。ステップＳ４１では、モードキー３６ｍｄの操作によってＷｉＦｉ通信機能がオン状態となっているか否かを判別する。判別結果がＮＯからＹＥＳに更新されるとステップＳ４３に進み、自機ＩＤの送信をＲＦモジュール３８に命令する。ＲＦモジュール３８は、自機ＩＤをアンテナ３８ａｔから送信する。ステップＳ４５では他機ＩＤがＲＦモジュール３８によって受信されたか否かを判別し、判別結果がＮＯであればステップＳ４１に戻る一方、判別結果がＹＥＳであればステップＳ４７に進む。
【００５３】
ステップＳ４７では受信された他機ＩＤがレジスタ４０に登録済みであるか否かを判別し、判別結果がＹＥＳであればそのままステップＳ５５に進む一方、判別結果がＮＯであればステップＳ４９〜Ｓ５３の処理を経てステップＳ５５に進む。
【００５４】
ステップＳ４９では、ＬＣＤモニタ３０を利用してＩＤ登録をユーザに促し、ステップＳ５１では登録ボタン３６ｒによる登録操作が行われたか否かを繰り返し判別する。判別結果がＮＯからＹＥＳに更新されると、受信された他機ＩＤをステップＳ５３でレジスタ４０に登録する。
【００５５】
ステップＳ５５ではＷｉＦｉ接続を確立し、ステップＳ５７ではモードキー３６ｍｄの操作によってＷｉＦｉ通信機能がオフされたか否かを繰り返し判別する。判別結果がＮＯからＹＥＳに更新されると、ステップＳ５９でＷｉＦｉ接続を解除し、その後にステップＳ４１に戻る。
【００５６】
スマートフォン６０において実行されるＷｉＦｉ通信制御タスクは、図８に示すように構成される。ステップＳ７１では、ＷｉＦｉ通信機能がオン状態となっているか否かを判別する。判別結果がＮＯからＹＥＳに更新されるとステップＳ７３に進み、自機ＩＤの送信をＲＦモジュール８４に命令する。ＲＦモジュール８４は、自機ＩＤをアンテナ８４ａｔから送信する。ステップＳ７５では他機ＩＤがＲＦモジュール８４によって受信されたか否かを判別し、判別結果がＮＯであればステップＳ７１に戻る一方、判別結果がＹＥＳであればステップＳ７７に進む。
【００５７】
ステップＳ７７では受信された他機ＩＤがレジスタ８８に登録済みであるか否かを判別し、判別結果がＹＥＳであればそのままステップＳ８５に進む一方、判別結果がＮＯであればステップＳ７９〜Ｓ８３の処理を経てステップＳ８５に進む。
【００５８】
ステップＳ７９ではＬＣＤモニタ７６を利用してＩＤ登録をユーザに促し、ステップＳ８１ではタッチによる登録操作が行われたか否かを繰り返し判別する。判別結果がＮＯからＹＥＳに更新されると、受信された他機ＩＤをステップＳ８３でレジスタ８８に登録する。ステップＳ８５ではＷｉＦｉ接続を確立し、ステップＳ８７ではＷｉＦｉ通信機能がオフされたか否かを繰り返し判別する。判別結果がＮＯからＹＥＳに更新されると、ステップＳ８９でＷｉＦｉ接続を解除し、その後にステップＳ７１に戻る。
【００５９】
以上の説明からわかるように、ディジタルカメラ１０はＷｉＦｉ接続の確立によってスマートフォン６０との間の連携が可能となり、ディジタルカメラ１０のセルフタイマがオン状態となると、ディジタルカメラ１０から送信されたセルフタイマ撮影の実行情報がスマートフォン６０に送信される。スマートフォン６０ではセルフタイマ撮影の実行状況に応じた報知信号が発生する。
【００６０】
これによって、ディジタルカメラ１０による撮影実行のタイミングを分かりやすくすることができ、利便性が向上する。
【００６１】
なお、この実施例では、ディジタルカメラ１０およびスマートフォン６０の各々に準備される近距離無線通信規格としてＷｉＦｉ規格を想定しているが、近距離無線通信規格はＢｌｕｅｔｏｏｔｈ（登録商標）規格，ＮＦＣ規格，ＺｉｇＢｅｅ規格，ＲＦＩＤ規格およびＷｉｒｅｌｅｓｓＨＤ規格であってもよく、準備される規格はＷｉＦｉ規格に限定されるものではない。
【００６２】
また、ＷｉＦｉ通信によって、撮影された画像データをディジタルカメラ１０からスマートフォン６０に転送し、スマートフォン６０側で画像を確認するようにしてもよい。この場合、カメラＣＰＵ２２は、ＷｉＦｉ通信のためのＩＤ登録（ユーザ認証）が済んでいる装置からのファイル転送要求を待つ。スマートフォンＣＰＵ６８は、ＷｉＦｉ接続が確立された状態でのモニタ画面のタッチによるファイル再生操作に応答して、ファイル転送要求の発行をＲＦモジュール８４に命令する。ファイル転送要求は、アンテナ８４ａｔを通してＷｉＦｉ接続先であるディジタルカメラ１０に送信される。
【００６３】
ファイル転送要求がディジタルカメラ１０のＲＦモジュール３８によって受信されると、カメラＣＰＵ２２は、記録媒体３４から画像ファイルを取得する。取得された画像ファイルは、ＳＤＲＡＭ２６のワークエリア２６ｃに格納される。カメラＣＰＵ２２は続いて、取得された画像ファイルの要求元への転送をＲＦモジュール３８に命令する。ＲＦモジュール３８は、所望の画像ファイルをＳＤＩＯ(Secure Digital Input/Output)４４およびメモリ制御回路２４を通してワークエリア２６ｃから読み出し、読み出された画像ファイルをアンテナ３８ａｔを通してファイル転送要求の発行元に送信する。
【００６４】
セルフタイマ撮影して得られた前記画像ファイルは、ＲＦモジュール８４によって受信される。前記画像ファイルは、メモリ制御回路７０を通してＳＤＲＡＭ７２に書き込まれる。ＬＣＤドライバ７４は、前記画像ファイルに収められた画像データをメモリ制御回路７２を通して読み出し、読み出された画像データに基づいてＬＣＤモニタ７６を駆動する。この結果、ディジタルカメラ１０によってセルフタイマ撮影して得られた画像がモニタ画面に表示される。
【００６５】
画像データの転送においては、相手方の装置（スマートフォン６０）の認証情報から装置性能を確認して、例えば、データを必要最低限のレベルまで性能を下げる変換を行ったうえで転送処理を行ってもよい。これにより、転送速度を速めたり、無駄な電力消費を抑えたりすることができる。例えば、ディジタルカメラ１０で撮影された画像がフルＨＤ記録モードであっても、接続の相手の解像度等の性能に合わせてＶＧＡレベルまで落として転送する等である。
【００６６】
さらに、この実施例では、ディジタルカメラ１０のカメラＣＰＵ２２によって実行される複数のタスクに相当する制御プログラムはフラッシュメモリ４２に予め記憶される。また、スマートフォン６０のスマートフォンＣＰＵ６８によって実行される複数のタスクに相当する制御プログラムはフラッシュメモリ８６に予め記憶される。
【００６７】
しかし、一部の制御プログラムを内部制御プログラムとしてフラッシュメモリ４２またはフラッシュメモリ８６に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００６８】
また、この実施例では、カメラＣＰＵ２２およびスマートフォンＣＰＵ６８によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００６９】
１０  …ディジタルカメラ
２２  …カメラＣＰＵ
３８，６２，８４  …ＲＦモジュール
３０，７６  …ＬＣＤモニタ
６０  …スマートフォン
６８  …スマートフォンＣＰＵ
【図１】
2014158158.tif 000003
【図２】
2014158158.tif 000004
【図３】
2014158158.tif 000005
【図４】
2014158158.tif 000006
【図５】
2014158158.tif 000007
【図６】
2014158158.tif 000008
【図７】
2014158158.tif 000009
【図８】
2014158158.tif 000010